(57)【要約】【課題】多種の機能を有するマウスを提供すること。【解決手段】本考案に係る無線式の多機能マウスは、電子装置に用いられ、電源、マウスモジュール、カードリーダーモジュール、ＵＳＢモジュール及び無線伝送モジュールを備える。前記電源は、前記マウスモジュール、前記カードリーダーモジュール及び前記ＵＳＢモジュールに接続されて、それらに必要な電力を提供する。前記マウスモジュール、前記カードリーダーモジュール及び前記ＵＳＢモジュールは、すべて前記無線伝送モジュールに電気接続される。前記無線伝送モジュールは、前記電子装置と送受信する。【選択図】図１
0003167855.tif 000002
【実用新案登録請求の範囲】
【請求項１】
電子装置に用いられる無線式の多機能マウスであって、
前記多機能マウスは、電源、マウスモジュール、カードリーダーモジュール、ＵＳＢモジュール及び無線伝送モジュールを備え、
前記電源は、前記マウスモジュール、前記カードリーダーモジュール及び前記ＵＳＢモジュールに接続されて、それらに必要な電力を提供し、
前記マウスモジュール、前記カードリーダーモジュール及び前記ＵＳＢモジュールは、すべて前記無線伝送モジュールに電気接続され、
前記無線伝送モジュールは、前記電子装置と送受信することを特徴とする多機能マウス。
【請求項２】
前記無線伝送モジュールの伝送方式は、ブルートゥース或いは２．４Ｇ無線周波であることを特徴とする請求項１に記載の多機能マウス。
【請求項３】
前記多機能マウスは、上部ケース及びそれに組み合せられる下部ケースを備え、前記下部ケースの対向する２つの側壁には、それぞれ第一ポート及び第二ポートが設けられることを特徴とする請求項１に記載の多機能マウス。
【考案の詳細な説明】
【技術分野】
【０００１】
本考案は、多種の機能を有するマウスに関するものである。
【背景技術】
【０００２】
コンピューターの普及に伴い、その欠くことのできない外接部品とするマウスも多様化になる。今は、主に有線マウスと無線マウスとに分けられている。しかし、市販されているマウスの殆どは、使用機能が単一である。
【考案の概要】
【考案が解決しようとする課題】
【０００３】
そこで、本考案は、上記の問題点を考慮した上で、多種の機能を有するマウスを提供することを目的とする。
【課題を解決するための手段】
【０００４】
前記課題を解決するために、本考案に係る多機能マウスは、電子装置に用いられ、電源、マウスモジュール、カードリーダーモジュール、ＵＳＢモジュール及び無線伝送モジュールを備える。前記電源は、前記マウスモジュール、前記カードリーダーモジュール及び前記ＵＳＢモジュールに接続されて、それらに必要する電力を提供する。前記マウスモジュール、前記カードリーダーモジュール及び前記ＵＳＢモジュールは、すべて前記無線伝送モジュールに電気接続される。前記無線伝送モジュールは、前記電子装置と送受信する。
【考案の効果】
【０００５】
従来の技術に比べて、本考案に係る多機能マウスは、カードリーダーモジュール及びＵＳＢモジュールを備え、且つ無線信号を送受信することにより作動する。従って、本考案の多機能マウスは、入力機能の以外、カードリーダー機能及びＵＳＢ機能を兼備する。前記多機能マウスを用いる電子装置は、外接ポート及び補助設備が減少されて、コストを下げる。しかも、前記多機能マウスは、無線伝送により作動するので、携帯及び使用も便利である。
【図面の簡単な説明】
【０００６】
【図１】本考案の多機能マウスの機能ブロック図である。
【図２】本考案の多機能マウスの斜視図である。
【図３】図２に示した多機能マウスを別の視点からの斜視図である。
【考案を実施するための形態】
【０００７】
本考案に係る多機能マウス１０は、無線信号を送受信でき、メカニカル式、光学式マウス或いはトラッキングボール式であることができる。本実施形態において、前記多機能マウス１０は、メカニカル式である。
【０００８】
図２に示したように、外部から見ると、前記多機能マウス１０は、上部ケース１１と、前記上部ケース１１に組み合せられる下部ケース１２と、前記上部ケース１１から突出するボール１３と、それぞれ前記下部ケース１２の対向する２つの側壁に設けられる第一ポート１４及び第二ポート１５と、を備える。
【０００９】
図１を参照すると、前記多機能マウス１０は、電子装置７０（例えば、コンピューター）と互いに無線信号を伝送することができ、電源２０、マウスモジュール３０、カードリーダーモジュール４０、ＵＳＢモジュール５０及び無線伝送モジュール６０という内部モジュールを備える。前記電子装置７０は、電源７１及び無線伝送モジュール７２を備える。
【００１０】
前記電源２０は、それぞれ前記マウスモジュール３０、前記カードリーダーモジュール４０及び前記ＵＳＢモジュール５０に電気接続され、それらの作動に必要とされる電力を提供する。本実施形態において、前記電源２０は、充電式バッテリーである。
【００１１】
前記マウスモジュール３０、前記カードリーダーモジュール４０及び前記ＵＳＢモジュール５０は、すべて前記無線伝送モジュール６０に接続される。前記マウスモジュール３０は、前記多機能マウス１０による前記電子装置７０のインターフェースに対する選定或いは入力操作を実現する。前記カードリーダーモジュール４０は、ＳＭ（Ｓｍａｒｔ  Ｍｅｄｉａ（登録商標））カード、ＣＦ（Ｃｏｍｐａｃｔ  Ｆｌａｓｈ）カード、ＳＤ（Ｓｅｃｕｒｅ  Ｄｉｇｉｔａｌ  Ｍｅｍｏｒｙ  Ｃａｒｄ）、ＴＦ（Ｔｒａｎｓ  Ｆｌａｓｈ）カード及びＭＤ（Ｍｉｃｒｏｄｒｉｖｅ）カードから選ばれた何れか１つのメモリーカードに適用するカードリーダーである。前記ＵＳＢモジュール５０は、ＰＣ（Ｐｅｒｓｏｎａｌ  Ｃｏｍｐｕｔｅｒ）、デジカメ、ビデオカメラ、テスト機械、及びポータブルハードディスク等に接続される。前記無線伝送モジュール６０の伝送方式は、ブルートゥース（Ｂｌｕｅｔｏｏｔｈ）或いは２．４Ｇ無線周波であることができる。
【００１２】
前記多機能マウス１０により前記電子装置７０を操作する場合、前記電源２０は、前記マウスモジュール３０に電力を提供する。前記無線伝送モジュール６０は、前記マウスモジュール３０が送信した信号を検知してから、無線通信モードを介して前記電子装置７０に伝送する。前記電子装置７０は、その内部に設けられた前記無線伝送モジュール７２を介して前記多機能マウス１０からの信号を受信する。
【００１３】
前記カードリーダー機能が必要する場合、前記メモリーカードを前記多機能マウス１０の第一ポート１４内に挿入して、それを前記カードリーダーモジュール４０に電気接続させる。前記無線伝送モジュール６０は、前記カードリーダーモジュール４０の信号を検知してから、前記信号を前記電子装置７０に伝送する。前記電子装置７０は、その無線伝送モジュール７２を介して前記カードリーダーモジュール４０からの信号を受信すると共に、マウス機能を利用して操作する。
【００１４】
前記ＵＳＢ機能が必要する場合、外接設備を前記第二ポート１５内に挿入して、それを前記ＵＳＢモジュール５０に電気接続させる。前記無線伝送モジュール６０は、前記ＵＳＢモジュール５０からの信号を検知してから、無線通信モードを介して前記電子装置７０に伝送する。前記電子装置７０は、その無線伝送モジュール７２を介して、前記ＵＳＢモジュール５０からの信号を受信して、前記外接設備を読み取って処理させる。
【００１５】
なお、前記電源７１及び前記無線伝送モジュール７２を、独立外接設備に集積し、且つＵＳＢを介して前記電子装置７０に接続してもよい。
【００１６】
本考案の多機能マウス１０は、マウス機能だけではなく、カードリーダー機能及びＵＳＢ機能も兼備し、且つ無線信号を受発送することにより作動する。従って、前記多機能マウス１０を用いる電子装置７０は、外接ポート及び補助設備が減少されて、コストを下げた。しかも、前記多機能マウスは、無線伝送により作動するので、携帯及び使用することも便利である。
【００１７】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることは、いうまでもない。
【符号の説明】
【００１８】
１０        多機能マウス
１１        上部ケース
１２        下部ケース
１３        ボール
１４        第一ポート
１５        第二ポート
２０        電源
３０        マウスモジュール
４０        カードリーダーモジュール
５０        ＵＳＢモジュール
６０        無線伝送モジュール
７０        電子装置
７１        電源
７２        無線伝送モジュール
【図１】
0003167855.tif 000003
【図２】
0003167855.tif 000004
【図３】
0003167855.tif 000005